(57)【要約】【課題】表示パネルの前側に透明なガラスを配置する構造において表示パネルへの塵埃等の浸入を防止する好適な防塵スペーサを設けた表示装置を提供する。【解決手段】画像が表示される表示パネル１と、表示パネル１の一面側に接合され、表示パネル１の周縁部１ａより外周側へ突出した周縁部２ａを有する透光パネル２と、表示パネル１の他面側を覆うカバー８とを備え、透光パネル２の周縁部２ａとカバー８の周縁部との間を閉塞する防塵スペーサ１０が透光パネル２及び表示パネル１の両方の周縁部１ａ，２ａとカバー８の周縁部とに接触するように設けてある。【選択図】図２
2011191683.tif 000002
【特許請求の範囲】
【請求項１】
画像が表示される表示パネルを備えた表示装置において、
前記表示パネルの一面側に接合された透光パネルと、前記表示パネルの他面側を覆うカバーとを備え、前記透光パネルの周縁部と前記カバーの周縁部との間を閉塞する防塵スペーサが設けてあることを特徴とする表示装置。
【請求項２】
前記透光パネルの周縁部は前記表示パネルの周縁部より外周側へ突出しており、
前記防塵スペーサは前記透光パネル及び表示パネルの両方の周縁部と前記カバーの周縁部とに接触していることを特徴とする請求項１に記載の表示装置。
【請求項３】
前記防塵スペーサは、前記透光パネル及び表示パネルの両方の周縁部に接触する部分が一体となった単一の部材であることを特徴とする請求項２に記載の表示装置。
【請求項４】
前記カバーは前記表示パネルの側に開口を有しており、
前記開口を通して前記表示パネルへ照明光を投射する光源部が前記カバーの内側に設けてあることを特徴とする請求項１から３のいずれか１項に記載の表示装置。
【発明の詳細な説明】
【技術分野】
【０００１】
本発明は、表示パネルへの塵埃等の浸入を防止する防塵スペーサを設けた表示装置に関する。
【背景技術】
【０００２】
表示装置の一例である液晶ディスプレイでは、前側に表示面を有する表示パネルの後側を支持する支持部材と、表示パネルの前側の周縁部を支持部材に押し付けて保持する保持枠（ベゼル）とで表示パネルを保持するモジュールが採用されている。表示パネルへの塵埃等の浸入を防止するために、表示パネルの前後の周縁部と保持枠及び支持部材の周縁部との間に防塵スペーサを配置し、モジュールの組み立てを塵埃が十分に除去されたクリーンルーム内で行っている。さらに、モジュールを組み込んだ表示装置では、保持枠と前キャビネットとの間に防塵スペーサを配置している（例えば特許文献１参照）。
【先行技術文献】
【特許文献】
【０００３】
【特許文献１】特開２００６−２１５５１２号公報
【発明の概要】
【発明が解決しようとする課題】
【０００４】
従来の表示装置では、表示パネルへの塵埃等の浸入を防止するために、モジュールの組み立て段階及び表示装置への組み込み段階の各々において防塵スペーサを配置するようにしており、その結果、作業性が悪かった。
一方、近年、液晶ディスプレイにおいて、薄型化、デザイン性の向上等の観点から表示パネルの前側に透明なガラスを配置し、保持枠（ベゼル）をなくす構造が考えられている。この場合においても、表示パネルの後側への塵埃等の浸入を防止する必要がある。
【０００５】
本発明は、上述したような事情に鑑みてなされたものであり、表示パネルの前側に透明なガラスを配置する構造に好適な防塵スペーサを設けた表示装置を提供することを目的とする。
【課題を解決するための手段】
【０００６】
本発明に係る表示装置は、画像が表示される表示パネルを備えた表示装置において、前記表示パネルの一面側に接合された透光パネルと、前記表示パネルの他面側を覆うカバーとを備え、前記透光パネルの周縁部と前記カバーの周縁部との間を閉塞する防塵スペーサが設けてあることを特徴とする。
本発明にあっては、画像が表示される表示パネルの一面側に接合された透光パネルの周縁部と表示パネルの他面側を覆うカバーの周縁部との間が防塵スペーサで閉塞され、表示パネルは周囲を透光パネル、カバー及び防塵スペーサによって囲まれるので、表示パネルへの塵埃等の侵入が防止される。
【０００７】
本発明に係る表示装置は、前記透光パネルの周縁部は前記表示パネルの周縁部より外周側へ突出しており、前記防塵スペーサは前記透光パネル及び表示パネルの両方の周縁部と前記カバーの周縁部とに接触していることを特徴とする。
本発明にあっては、防塵スペーサは表示パネルの周縁部より外周側へ突出した透光パネルの周縁部に接触して透光パネルの周縁部とカバーの周縁部との間を閉塞し、また表示パネルの周縁部に接触して表示パネルの周縁部とカバーの周縁部との間を閉塞している。
【０００８】
本発明に係る表示装置は、前記防塵スペーサは、前記透光パネル及び表示パネルの両方の周縁部に接触する部分が一体となった単一の部材であることを特徴とする。
本発明にあっては、単一の部材である防塵スペーサが表示パネルの周縁部より外周側へ突出した透光パネル及び表示パネルの両方の周縁部とカバーの周縁部とに接触する。
【０００９】
本発明に係る表示装置は、前記カバーは前記表示パネルの側に開口を有しており、前記開口を通して前記表示パネルへ照明光を投射する光源部が前記カバーの内側に設けてあることを特徴とする。
本発明にあっては、カバーの内側に設けた光源部から投射された照明光がカバーの表示パネルの側の開口を通して表示パネルへ照明される。
【発明の効果】
【００１０】
本発明によれば、透光パネルが接合された表示パネルを表示装置へ組み込む段階においてだけ、透光パネルの周縁部とカバーの周縁部との間を閉塞するように防塵スペーサが設置されるので、防塵スペーサの設置が１回で済み作業性が改善され、表示パネルの前側に透明なガラス（透光パネル）を配置する構造に好適な防塵スペーサを設けた表示装置が提供される。
【図面の簡単な説明】
【００１１】
【図１】本発明に係る表示装置の模式的正面図である。
【図２】図１に示す表示装置の一部を拡大した横断面図である。
【図３】図１に示す表示装置の一部を拡大した横断面図である。
【図４】表示パネル及び防塵カバーが取り付けられた透光パネルの背面図である。
【図５】図４に示すパネル構造の一部分解斜視図である。
【図６】図４に示すパネル構造の模式的斜視図である。
【図７】本発明に係る表示装置の変形構成を示す横断面図である。
【図８】他の構成の表示装置の一部を拡大した横断面図である。
【発明を実施するための形態】
【００１２】
以下、本発明に係る表示装置の実施の形態を図面に基づいて詳述する。
実施の形態１
図１は本発明に係る表示装置の模式的正面図、図２は図１に示す表示装置の一部を拡大した横断面図、図３は図１に示す表示装置の一部を拡大した横断面図、図４は表示パネル及び防塵カバーが取り付けられた透光パネルの背面図、図５は図４に示すパネル構造の一部分解斜視図、図６は図４に示すパネル構造の模式的斜視図である。
【００１３】
実施の形態１に係る表示装置は、前側にテレビ画像を表示する表示パネル１と、表示パネル１の前面に貼付けにより接合されているガラス板製の透光パネル２と、透光パネル２の周縁周りを覆う環体３と、表示パネル１の後側に配されている光源部４と、光源部４及び表示パネル１の間に配されている拡散板５及び該拡散板５に積層されている光学シート６と、光学シート６及び表示パネル１の間に配され、表示パネル１及び透光パネル２の各周縁部１ａ，２ａの後面と対向する枠体７と、光源部４の後側を覆うカバー８と、カバー８の下部に装着されたスタンド２１等を備え、表示パネル１の前側に表示されるテレビ画像を透光パネル２の前方から視認するように構成された液晶表示装置である。
【００１４】
表示パネル１は略直方体をなし、前面及び後面にフィルム状の偏光板が接合されている。透光パネル２は、表示パネル１よりも厚く、表示パネル１よりも大きい略直方体をなし、周縁部２ａの後面に、複数の結合体９が周方向に離隔して取付けられている。
【００１５】
結合体９は、図４及び図５に示すように略矩形又は略Ｌ字形をなし、透光パネル２の周縁に沿って間隔を隔てて四辺部に配される複数の板部９１と、該板部９１に一端部がカシメ加工され、長さが短い第１の筒形ボス９２及び長さが長い第２の筒形ボス９３を有している。板部９１が両面テープ９４等により透光パネル２の周縁部２ａの後面に取付けられ、筒形ボス９２，９３が後方へ向けて突出している。
【００１６】
結合体９は、略矩形をなす板部に第１の筒形ボス９２が設けられた第１の結合体９ａと、略矩形をなす板部９１に第２の筒形ボス９３が設けられた第２の結合体９ｂと、略Ｌ字形をなす板部９１に第１の筒形ボス９２が設けられた第３の結合体９ｃとを有する。第１の結合体９ａは、透光パネル２における下辺部の長さ方向中央側に２個配され、第２の結合体９ｂは、透光パネル２における上辺部の中央側に２個及び両側辺部の長さ方向中央側に各１個配され、第３の結合体９ｃは、透光パネル２の四つの隅部に各１個配されている。
【００１７】
環体３は、透光パネル２の周面とラジアル方向へ離隔して対向し、略直方形をなす覆環部３１と、覆環部３１の後側から中央側へ延出され、透光パネル２の周縁部２ａの後面に対向し、雄螺子３０にて結合体９に取付けられる延出凸部３２と、覆環部３１及び延出凸部３２からラジアル方向外方へ先細に突出する先細突部３３とを有し、合成樹脂製である。
【００１８】
覆環部３１が透光パネル２の周面と離隔して対向することにより、透光パネル２周面と覆環部３１との間に環状の隙間ａができるようになしてある。隙間ａは、外部温度の変化により合成樹脂製の環体３が熱収縮したとき、覆環部３１が透光パネル２周面に当接しない寸法としてある。
【００１９】
覆環部３１は、透光パネル２の厚さとほぼ等厚に形成され、透光パネル２前面から突出しないか、または突出量が少ないようになしてある。
【００２０】
延出凸部３２は環状をなし、周方向へ離隔した複数の位置には、結合体９の第１の筒形ボス９２が挿入される貫通孔３２ａが開設され、板部９１に受止められている状態で筒形ボス９２に螺入される雄螺子３０にて結合体９に取付けられるようになしてある。また、上辺及び左右両辺の延出凸部３２には、複数の周方向位置に中央側へ延出された突片３２ｂが設けられ、該突片３２ｂが、隣合う板部９１の間に配され、隣合う板部９１の隙間を低減するようになしてある。
【００２１】
先細突部３３は、環体３の前縁及び後縁から厚さ方向中央に向けて先細に突出する断面略Ｖ字形をなし、環体３の周縁部が視認されたとき、該環体３の厚さが薄く見えるようになしてある。先細突部３３の元側後面には、前方へ窪む環状凹所３４及び保持溝３５が全周に亘って設けてある。
【００２２】
カバー８は、透光パネル２の周縁部２ａの後側に取付けられ、光源部４の後側を覆う略直方形の浅皿形をなすカバー内分体８ａと、該カバー内分体８ａよりも大形であり、該カバー内分体８ａに結合され、カバー内分体８ａを覆う略直方形の深皿形をなすカバー外分体８ｂとを有する。
【００２３】
カバー内分体８ａは、金属板を成形してなり、透光パネル２よりも若干小さく形成されている。カバー内分体８ａ内には、光源部４が取り付けてあり、カバー内分体８ａの後面には、電源回路基板等の複数の回路基板２０が取付けられている。
【００２４】
光源部４は、横方向に長い短冊形をなし上下に複数列に配された導光板４２と、導光板４２の後面に配された反射シート４１と、導光板４２の両端側に上下一列に配された複数の発光ダイオード４４を一面に実装し、上下に長い短冊形の発光ダイオード基板４３とを備えている。発光ダイオード基板４３に実装されている発光ダイオード４４は導光板４２の一端及び他端と対向している。発光ダイオード基板４３はアルミ等の熱伝導率の高い材料で作製され、裏面側にブロック状の放熱部４５が取り付けてある。放熱部４５はカバー内分体８ａに図示しないネジによりネジ止めしてある。放熱部４５には前側に開口したネジ穴４５ａを設けてある。
【００２５】
導光板４２は、アクリル樹脂、ポリカーボネート樹脂等の合成樹脂材を押出し成形してなる長尺材を所定の長さに切断することにより形成され、両端に入光側面を配し、厚さ方向一面に出光面を配してあり、カバー内分体８ａに保持されている。
【００２６】
カバー内分体８ａの外周部の第２の筒形ボス９３と対向する位置には挿通孔８１が開設され、該挿通孔８１周りが筒形ボス９３の先端に対向し、カバー内分体８ａは挿通孔８１から筒形ボス９３内に螺入される雄螺子８２にて透光パネル２に結合されている。また、外周部の挿通孔８１と偏倚した位置には、嵌入孔８３ａを有する凸形結合部８３が一体成形され、該凸形結合部８３にカバー外分体８ｂが取外し可能に結合されている。
【００２７】
カバー外分体８ｂは、外周縁部に前方へ突出された嵌入口部８４を有し、該嵌入口部８４が環体３の環状凹所３４に後方から嵌入され、防塵性を高めている。また、カバー内分体８ａの凸形結合部８３と対向する複数の筒形ボス８５が突設され、該筒形ボス８５から凸形結合部８３の嵌入孔８３ａに螺入される雄螺子８６にてカバー内分体８ａに結合されている。
【００２８】
枠体７は、透光パネル２の周縁部２ａ及び表示パネル１の周縁部１ａの両方の後面に対向する矩形の環状板部７１及び該環状板部７１の外周側に連なり、第２の筒形ボス９３と対向するように後向きに屈曲した環状縁部７２を有し、断面が略Ｌ字形に形成され、合成樹脂製である。環状板部７１は外周側に貫通孔７１ａを有し、該貫通孔７１ａを放熱部４５のネジ穴４５ａに対向させ、貫通孔７１ａからネジ穴４５ａに雄螺子７３をネジ込むことにより、枠体７が放熱部４５に固定されている。
【００２９】
環状板部７１の前面には、透光パネル２の周縁部２ａ及び表示パネル１の周縁部１ａとの間を閉塞する環状の防塵スペーサ１０が配置してある。防塵スペーサ１０は透光パネル２及び表示パネル１の両方の周縁部１ａ，２ａと環状板部７１とに接触し、透光パネル２の周縁部２ａと環状板部７１とに接触する部分の前後方向の厚さが表示パネル１の周縁部１ａと環状板部７１とに接触する部分の厚さより厚い断面形状を有する単一の部材である。防塵スペーサ１０は接着剤によって透光パネル２に貼り付けられている。なお、防塵スペーサ１０を透光パネル２ではなく枠体７の環状板部７１に貼り付けるようにしてもよい。
【００３０】
光学シート６は、導光板４２にて拡散された光を偏光する反射偏光シート、プリズムシート、拡散シート等の比較的薄肉で、透光性及び可撓性を有する合成樹脂シートからなり、表示パネル１に対応して略矩形に形成されている。
【００３１】
スタンド２１は、カバー内分体８ａの下部後面で、横方向中央部に複数本の雄螺子にて取付けられ、透光パネルの下縁よりも下方へ突出している支柱と、該支柱の下端に結合されているベースとを有する。カバー外分体８ｂの前記支柱と対向する部分には、後方へ窪む凹所が設けられている。
【００３２】
以上のように構成された液晶表示装置の組立ては例えば次の(1) 〜(9) の工程で行う。
(1) 作業台上に開放側を上向にして平置きされたカバー内分体８ａ内の両側部に発光ダイオード基板４３，４３を載置し、放熱部４５をカバー内分体８ａにネジ止めする。
(2) カバー内分体８ａ内の発光ダイオード基板４３，４３間に反射シート４１を載置し、反射シート４１の上に複数の導光板４２を載置し、導光板４２の両端側をカバー内分体８ａに固定する。
(3) 導光板４２上に拡散板５を載置し、拡散板５上に光学シート６を載置し、光学シート６の周縁部を環状板部７１で防塵帯１１を介して押さえるように枠体７を配置し、該枠体７を放熱部４５にネジ止めする。
(4) 前側に透光パネル２が貼り付けられた表示パネル１及び透光パネル２を、該透光パネル２が下側となるように作業台上に平置きし、複数の結合体９（第１乃至第３の結合体９ａ，９ｂ，９ｃ）を該透光パネル２の周縁部２ａの後面に両面テープ９４により貼り付け、また、防塵スペーサ１０を透光パネル２の周縁部２ａの後面に接着剤にて貼り付ける。
(5) 透光パネル２の周縁部２ａの外周側後面に環体３を載置し、該環体３における延出凸部３２の貫通孔３２ａに第３の結合体９ｃの筒形ボス９２を嵌入し、該筒形ボス９２内に雄螺子３０を螺入し、環体３を透光パネル２に取付ける。
(6) 枠体７が下側となるようにカバー内分体８ａを反転し、この反転状態で枠体７が防塵スペーサ１０に接触するようにして表示パネル１及び透光パネル２の上側に載置する。
(7) カバー内分体８ａの挿通孔８１から結合体９における筒形ボス９３の小径孔に雄螺子８２を螺入し、カバー内分体８ａを透光パネル２に結合させる。
(8) カバー内分体８ａの後面に複数の回路基板２０を取付け、カバー内分体８ａの下部後面にスタンド２１を取付ける。
(9) カバー内分体８ａの上側からカバー外分体８ｂを被嵌し、カバー外分体８ｂの嵌入口部８４を環状凹所３４に嵌入し、カバー外分体８ｂにおける筒形ボス８５の先端を、カバー内分体８ａの凸形結合部８３に当接し、筒形ボス８５から凸形結合部８３の嵌入孔８３ａに雄螺子８６を螺入し、カバー外分体８ｂをカバー内分体８ａに結合させる。
【００３３】
以上のように構成された表示装置は、透光パネル２の周縁部２ａと枠体７との間、及び表示パネル１の周縁部１ａと枠体７との間が防塵スペーサ１０によって閉塞されているので、表示パネル１への塵埃等の浸入を有効に防止することができ、加えて、防塵スペーサ１０が単一の部材であるので、防塵スペーサ１０の取り扱い、透光パネル２への貼り付け等も容易である。
【００３４】
実施の形態２
図７は本発明に係る表示装置の変形構成を示す横断面図である。
実施の形態２に係る表示装置は、単一の部材の防塵スペーサ１０の代わりに、透光パネル２の周縁部２ａに接触する環状の防塵スペーサ１０ｂ及び表示パネル１の周縁部１ａに接触する環状の防塵スペーサ１０Ａを備えている点を除いて実施の形態１の構成と同様である。
【００３５】
防塵スペーサ１０Ｂは前後方向の厚さが防塵スペーサ１０Ａより厚く、接着剤によって透光パネル２の周縁部２ａに貼り付けられている。防塵スペーサ１０Ａは接着剤によって表示パネル１の周縁部１ａに貼り付けられている。尚、図７において、防塵スペーサ１０Ｂを残し、防塵スペーサ１０Ａを省略することも可能である。
【００３６】
以上説明した実施の形態１，２においては、表示パネル１は前面のほぼすべての面が接着剤にて透光パネル２に接着されているが、表示パネル１の前面の外周部だけを接着剤にて透光パネル２に接着する構成としてもよいし、また、表示パネル１の前面の一部だけを接着剤にて透光パネル２に接着する構成としてもよいし、また、接着剤でなく、両面テープにて貼り付ける構成としてもよく、表示パネル１を透光パネル２に接合する手段は特に制限されない。
【００３７】
次に、表示パネル１と透光パネル２との配置が異なる他の構成の表示装置について説明する。図８は他の構成の表示装置の一部を拡大した横断面図である。
この表示装置では、透光パネル２が表示パネル１の前面から離間配置され、表示パネル１は透光パネル２に接合されていない点で実施の形態１，２と異なる。
【００３８】
表示パネル１は略直方体をなし、前面及び後面にフィルム状の偏光板が接合され、表示パネル１の周縁部を前後に挾持する二つの枠体１２，１３が設けられ、該二つの枠体１２，１３の周方向複数位置がネジ等にて結合され、パネルモジュールに構成されている。
【００３９】
表示パネル１の周縁部前側に配される一方の枠体１２は、矩形の板状をなす環状板部１２ａ及び該環状板部１２ａの外周縁から後方へ延出された延出枠部１２ｂを有し、金属板を成形してなる。環状板部１２ａは外周側部分が内周側部分よりも後方に偏倚するように屈曲した断面を有し、内縁部の後面に、表示パネル１の周縁部前面に接触する防塵帯１４が接着剤により貼付けられている。また、環状板部１２ａの内周側の前面には、透光パネル２の周縁部に接触する防塵スペーサ１６が貼り付けてある。環状板部１２ａの外周側部分には、前記放熱部４５のネジ穴４５ａの位置に対応する貫通孔１２ｃが形成してある。
【００４０】
表示パネル１の周縁部後側に配される他方の枠体１３は、矩形の板状をなす環状板部１３ａ及び該環状板部１３ａの外周縁から後方へ延出された延出枠部１３ｂを有し、合成樹脂材にて成形されている。環状板部１３ａの内縁部前面には、表示パネル１の周縁部後面に接触する防塵帯１５が接着剤により貼付けられている。環状板部１３ａの外周部には、前記放熱部４５のネジ穴４５ａの位置に対応する貫通孔１３ｃが形成してある。そして、枠体１２の貫通孔１２ｃ及び枠体１３の１３ｃから放熱部４５のネジ穴４５ａに雄螺子１７がネジ込まれ、両方の枠体１２，１３が放熱部４５に固定されている。
【００４１】
以上のように構成された液晶表示装置の組立ては例えば次の(1) 〜(8) の工程で行う。
(1)作業台上に開放側を上向にして平置きされたカバー内分体８ａ内の両側部に発光ダイオード基板４３，４３を載置し、放熱部４５をカバー内分体８ａにネジ止めする。
(2) カバー内分体８ａ内の発光ダイオード基板４３，４３間に反射シート４１を載置し、反射シート４１の上に複数の導光板４２を載置し、導光板４２の両端側をカバー内分体８ａに固定する。さらに導光板４２上に拡散板５を載置し、拡散板５上に光学シート６を載置する。
(3) 表示パネル１及び該表示パネル１の周縁部を前後に挾持している二つの枠体１２，１３を、後側の枠体１３が下向きとなるようにし、光学シート６の周縁部を枠体１３の環状板部１３ａで防塵帯１５を介して押さえるように配置し、該枠体１２，１３を放熱部４５にネジ止めしてカバー内分体８ａに保持させる。
(4) 透光パネル２を作業台上に平置きにし、該透光パネル２の周縁部後面に複数の結合体９（第１乃至第３の結合体９ａ，９ｂ，９ｃ）を両面テープ９４等により取付ける。また、防塵スペーサ１６を透光パネル２の周縁部２ａの後面に接着剤にて貼り付ける。
(5)カバー内分体８ａに保持されている二つの枠体１２，１３の向きを反転させて、前側の枠体１２が下向きとなるように透光パネル２上に載置する。この際、環状板部１２ａの内周側部分の前面が防塵スペーサ１６に当接する。
(6) 透光パネル２の周縁部２ａの外周側後面に環体３を載置し、該環体３における延出凸部３２の貫通孔３２ａに第３の結合体９ｃの筒形ボス９２を嵌入し、該筒形ボス９２内に雄螺子３０を螺入し、環体３を透光パネル２に取付ける。この際、筒形ボス９３の先端がカバー内分体８ａの挿通孔８１周りに当接し、受止められる。
(7) カバー内分体８ａの挿通孔８１から結合体９における筒形ボス９３の小径孔に雄螺子８２を螺入し、カバー内分体８ａを透光パネル２に結合させる。
(8) カバー内分体８ａの上側からカバー外分体８ｂを被嵌させ、カバー外分体８ｂの嵌入口部８４を環状凹所３４に嵌入し、カバー外分体８ｂにおける筒形ボス８５の先端を、カバー内分体８ａの凸形結合部８３に当接し、筒形ボス８５から凸形結合部８３の嵌入孔８３ａに雄螺子８６を螺入し、カバー外分体８ｂをカバー内分体８ａに結合させる。
【００４２】
以上説明した表示装置では、カバー８は、透光パネル２の周縁部後面に取付けられるカバー内分体８ａ、及び該カバー内分体８ａに結合されるカバー外分体８ｂを有する構成としたが、その他、カバー外分体８ｂからなるカバーが透光パネル２の周縁部後面に取付けられる構成としてもよい。この場合、前記カバー内分体８ａは光源部４を支持する支持体となる。
【００４３】
また、以上説明した表示装置では、透光パネル２をガラス製としたが、その他、透光パネル２は、透光性を有する合成樹脂製であってもよい。
【００４４】
また、以上説明した表示装置では、表示パネル１の後側に配される光源部４が、導光板４２及び該導光板４２の側面側に配される光源としての発光ダイオード４４を有する構成としたが、その他、光源は冷陰極管等のランプであってもよい。また、光源部４は、導光板４２の側面側に光源が配されるエッジ型バックライトである他、表示パネル１の後方直下に発光ダイオード、冷陰極管等のランプからなる光源が配される直下型バックライトであってもよく、光源部４の構成は特に制限されない。また、エッジ型バックライトの導光板４２は、短冊形をなす複数が並置される構成である他、表示パネル１に対応する大きさの一枚が配される構成であってもよい。
【００４５】
また、本発明に係る表示装置は液晶テレビジョン等の液晶表示装置である他、プラズマ表示装置、ＳＥＤディスプレイ等の表示装置であってもよい。
【符号の説明】
【００４６】
１      表示パネル
１ａ    周縁部
２      透光パネル
２ａ    周縁部
４      光源部
８      カバー
１０    防塵スペーサ
１０Ａ  防塵スペーサ
１０Ｂ  防塵スペーサ
【図１】
2011191683.tif 000003
【図２】
2011191683.tif 000004
【図３】
2011191683.tif 000005
【図４】
2011191683.tif 000006
【図５】
2011191683.tif 000007
【図６】
2011191683.tif 000008
【図７】
2011191683.tif 000009
【図８】
2011191683.tif 000010